(57)【特許請求の範囲】
【請求項１】
車両のキャビンのアウタパネルとインナパネルとの間にリインフォースが介在された部位に取り付けた通気ダクトを介して車室内側と車室外側を通気する構造であって、
前記アウタパネルと前記インナパネルとの間を前記リインフォースで車室外側と車室内側の２室に区画し、該車室外側の区画において前記アウタパネルに前記通気ダクトを取り付け、該通気ダクトよりも下方かつ前記インナパネルに設けた車室内側の通気口よりも下方かつ前記車室内側の区画内に内装されたシートベルトリトラクタよりも下方において、前記リインフォースに前記車室外側の区画と前記車室内側の区画を連通する排気口を設け、
前記アウタパネルと前記インナパネルとのヘミング部の下端部に、前記インナパネルの下縁を車室内側にビード状に折り曲げて形成される前記アウタパネルとの間の隙間を、前記通気ダクトを経て前記車室外側の区画内に滴下した雨水等の水分を排水する排水口として機能させる構成とした通気構造。
【発明の詳細な説明】
【技術分野】
【０００１】
この発明は、例えばピックアップと称される貨物車両の通気構造に関する。
【背景技術】
【０００２】
車両前部にキャビン（乗員室）を有し、その後方にデッキ（荷台）を備える貨物車両（トラック、ピックアップ）では、キャビンへの乗降用のドアの特に閉じ操作がスムーズになされるようにするために、通常ドア開口部の後部を構成するリヤクォータパネルの後面にキャビン内外間で通気を行うための通気ダクトが設けられている。係る通気構造に関する技術が下記の特許文献に開示されている。
図６及び図７に示すように通気ダクト３０は、キャビン１のリヤクォータパネル２の後面に設けられている。この通気ダクト３０は、図８に示すように外部カバー３１とダクト本体３２と内部カバー３３を備えている。
図９及び図１０に示すようにキャビン１のリヤクォータパネル２は、アウタパネル３とインナパネル４との間に補強用のリンフォース５を介在させた断面閉じ構造を備えている。外部カバー３１はアウタパネル３の外面に沿って取り付けられ、ダクト本体３２は、アウタパネル３の開口部３ａに取り付けられている。このダクト本体３２は、開口部３ａを経てリンフォース５内に進入した状態で取り付けられている。リンフォース５内においてダクト本体３２に内部カバー３３が取り付けられている。この通気ダクト３０の下方には、シートベルトリトラクタ３５が取り付けられている。このシートベルトリトラクタ３５は、リンフォース５内に取り付けられている。リンフォース５の内部は、インナパネル４に設けた通気口６を経て車室内側に連通されている。この通気口６付近を経てシートベルトリトラクタ３５から車室内へシートベルトが引き出されている。
以上のように構成された従来の通気ダクト３０によれば、通気口６、リンフォース５の内部及び当該通気ダクト３０を経てキャビン１の車室内と車室外との間で通気がなされてドア７の特に閉じ操作を小さな操作力で楽に行うことができるようになっている。
【先行技術文献】
【特許文献】
【０００３】
【特許文献１】特開２００１−１３０２４３号公報
【発明の概要】
【発明が解決しようとする課題】
【０００４】
しかしながら、上記従来の通気構造によれば、リンフォース５の内部を経て車室外と車室内が直接繋がった状態となっている。このため、リンフォース５内に突き出されたダクト本体３２の先端に内部カバー３３を取り付けて、当該ダクト本体３２が備える通気経路開閉用のシャッターとして機能するバタフライ３２ａ（例えばゴムシート材）の車両走行中等におけるばたつき音を車室内に対して遮音している。この内部カバー３３は、外部カバー３１及びダクト本体３２を経てアウタパネル３の内側に降り込んだ雨水等がシートベルトリトラクタ３５に滴下することを防止する防水カバーとしての役割も果たしている。
このように、従来の通気ダクト３０は、ダクト本体３２をリンフォース５内まで突き出した状態に取り付けた構成であったので、遮音及び防水のために内部カバー３３を取り付ける必要があり、この点で部品点数及びコストが嵩む問題があった。
本発明は、遮音性等の機能を損なうことなく通気ダクトの部品点数を削減し、またそのコストの低減を図ることを目的とする。
【課題を解決するための手段】
【０００５】
上記の課題は下記の発明により解決される。
第１の発明は、車両のキャビンのアウタパネルとインナパネルとの間にリンフォースが介在された部位に取り付けた通気ダクトを介して車室内側と車室外側を通気する構造であって、アウタパネルとインナパネルとの間をリンフォースで車室外側と車室内側の２室に区画し、車室外側の区画においてアウタパネルに通気ダクトを取り付け、この通気ダクトよりも下方かつインナパネルに設けた車室内側の通気口よりも下方において、リンフォースに車室外側の区画と車室内側の区画を連通する排気口を設けた通気構造である。
第１の発明によれば、リンフォースで区画された車室外側の区画に通気ダクトが取り付けられてリンフォースを従来の遮音カバーとして機能させることができるので、係る従来の内部カバーを省略して当該通気ダクトの部品点数の削減及びコストの低減を図ることができる。
また、車室外側の区画と車室内側の区画を連通する排気口が、車室内側の通気口よりも下方に設けられているので、通気ダクトを経て車室外側の区画内に滴下した雨水等の水分に対してリンフォースを防水カバーとして機能させることができ、この点でも従来の内部カバーを省略して当該通気ダクトの部品点数を削減し、またコストの低減を図ることができる。
第２の発明は、第１の発明において、車室内側の区画内にシートベルトリトラクタが内装されており、このシートベルトリトラクタよりも下方に排気口を設けた通気構造である。
第２の発明によれば、シートベルトリトラクタに対する高い防水性能を持たせることができる。
第３の発明は、第１又は第２の発明において、アウタパネルとインナパネルとのヘミング部の下端部に、インナパネルを車室内側に屈曲させてアウタパネルとの間に隙間を設けてこの隙間を、通気ダクトを経て車室外側の区画内に滴下した雨水等の水分を排水する排水口として機能させる構成とした通気構造である。
第３の発明によれば、通気ダクトを経て車室外側の区画内に侵入した雨水等が、当該アウタパネルとインナパネルとの間にリンフォースが介在された部位であって例えばキャビンのリヤクォータパネルの下部に設けた排水口から排水される。この排水口は、例えばこのリヤクォータパネルのヘミング部においてインナパネルの下端部がビード状に屈曲されてアウタパネルとの間に形成される隙間により設けられており、特別の部材を追加することなく当該リヤクォータパネルの下部であって車室外側の区画の下部に排水口を設けることができ、この点でも当該通気構造の部品点数の削減及び低コスト化を図ることができる。
【図面の簡単な説明】
【０００６】
【図１】本発明の実施形態に関し、キャビンの後部を構成するリヤクォータパネルの側面図である。
【図２】図１中(II)-(II)線断面矢視図であって、本実施形態に係る通気構造の縦断面図である。
【図３】図１中(III)-(III)線断面矢視図であって、本実施形態に係るリヤクォータパネルの横断面図である。
【図４】図１中(IV)-(IV)線断面矢視図であって、本実施形態に係るリヤクォータパネルの横断面図である。
【図５】図１中(V)矢視図であって、排水口を下方から見た図である。
【図６】キャビンの左側面図である。
【図７】右側リヤクォータパネルの後面図である。
【図８】従来の通気ダクトの分解斜視図である。
【図９】図６の(IX)- (IX)断面矢視図であって、リヤクォータパネルの横断面図である。
【図１０】図６の(X)-(X)線断面矢視図であって、リヤクォータパネルの横断面図である。
【発明を実施するための形態】
【０００７】
次に、本発明の実施形態を図１〜図５に基づいて説明する。図１は、ピックアップとも称される貨物車両のキャビン１（乗員室）の右後部を構成する右側（運転席側）のリヤクォータパネル２が示されている。図３及び図４に示すようにこのリヤクォータパネル２は、アウタパネル１０とインナパネル１１との間にリンフォース１２を介在させた断面閉じ構造を備えている。アウタパネル１０とインナパネル１１はその周縁部がヘミング加工されて相互に一体化されている。アウタパネル１０とインナパネル１１間に形成される上下に長い空間部は、リンフォース１２によって車室外側と車室内側に区画されている。このリヤクォータパネル２には、ドア７の特に閉じ操作を楽に行うために車室内の空気を外部へ逃がすための通気構造を備えている。本実施形態の通気構造では、右側のリヤクォータパネル２に取り付けた通気ダクト１５と、車室内の通気口との間の通気経路が従来とは異なっている。
図３に示すようにリンフォース１２に対して車室外側の区画１３に通気ダクト１５が取り付けられている。この通気ダクト１５は、アウタパネル１０の外面に取り付けた外部カバー１５ａと、アウタパネル１０の開口部１０ａから内方に向けて取り付けられたダクト本体１５ｂを備えている。ダクト本体１５ｂは、車室外側の区画１３内であってリンフォース１２に干渉しない範囲で内方へ突き出す状態に取り付けられている。本実施形態に係る通気ダクト１５は、従来の外部カバー３１とダクト本体３２と同等の外部カバー１５ａとダクト本体１５ｂを備えている。このダクト本体１５ｂには、従来のダクト本体３２と同様通気経路開閉用のシャッターとして機能する複数枚のゴムシート状のバタフライが開閉可能に設けられている。但し、ダクト本体１５ｂに従来の内部カバー３３に相当する部材は取り付けられていない。
図４に示すように、通気ダクト１５よりも下方において、リンフォース１２に対して車室内側の区画１４内にはシートベルトリトラクタ１６が内装されている。このシートベルトリトラクタ１６は、通気ダクト１５が取り付けられた車室外側の区画１３とはリンフォース１２によって区画された車室内側の区画１４内に配置されている。
インナパネル１１の、シートベルトリトラクタ１６に対向する部位に、通気口１１ａが設けられている。この通気口１１ａを経て車室内側の区画１４がキャビン１の内部（車室内）に連通されている。また、図２に示すようにこの通気口１１ａを経てシートベルト１６ａが車室内側に引き出されている。引き出されたシートベルト１６ａの先端は、図示するように通気口１１ａの下方においてインナパネル１１に結合されている。
【０００８】
図２に示すようにリンフォース１２の下部には、排気口１２ａが設けられている。この排気口１２ａは、図示するように通気ダクト１５より下方かつシートベルトリトラクタ１６よりも下方に設けられている。この排気口１２ａを経て、車室外側の区画１３と車室内側の区画１４が連通されている。このことから、車室内と車室外との間の通気経路は、リンフォース１２の下部の排気口１２ａを経た経路となり、従って車室内は、図２中白抜きの矢印で示すように通気口１１ａ、車室内側の区画１４及び排気口１２ａを経て車室外側の区画１３に連通されており、ひいては通気ダクト１５を経て車室外に連通された状態となっている。
リヤクォータパネル２の下端部であってアウタパネル１０とインナパネル１１とのヘミング部２ａに排水口１７が設けられている。この排水口１７は、図５に示すようにインナパネル１１の下縁を内方にビード状に屈曲させてアウタパネル１０との間に隙間を形成することにより設けられている。通気ダクト１５を経て車室外側の区画１３内に侵入した雨水等の水分が滴下した後この排水口１７をから外部に排水される。
以上説明した右側の通気構造は、左側のリヤクォータパネルについても左右対称に構成されており、左側のドア７についても小さな操作力で楽に開閉操作（特に、閉じ操作）できるようになっている。
【０００９】
以上のように構成した本実施形態の通気構造によれば、リヤクォータパネル２の内部であってアウタパネル１０とインナパネル１１との間の空間部がリンフォース１２で区画されており、通気ダクト１５は車室外側の区画１３に取り付けられ、車室内側の区画１４に通気口１１ａが設けられている。このことから、車室外側の区画１３に取り付けられた通気ダクト１５は、従来のように通気口１１ａが設けられた車室内側の区画１４に直接繋がっているのではなく、排気口１２ａを経て間接的に車室内側の区画１４に繋がった構成となっており、車両走行時等におけるダクト本体１５ｂのバタフライのばたつき音等の騒音はリンフォース１２で遮音されて直接車室内へは伝わらないようになっている。
このことから、リンフォース１２を従来の遮音用の内部カバー３３と同等の内部カバーとして機能させることができるので、係る従来の内部カバー３３を省略して当該通気ダクト１５の部品点数の削減及びコストの低減を図ることができる。
また、リンフォース１２で区画された車室外側の区画１３に通気ダクト１５が設けられていることから、通気ダクト１５を経て車室外側の区画１３内に滴下した雨水等の水分に対してリンフォース１２を防水カバーとして機能させることができ、これにより車室内側の区画１４に設けられたシートベルトリトラクタ１６及び通気口１１ａひいては車室内に対する防水がなされ、この点でも従来の内部カバー３３を省略して当該通気ダクト１５の部品点数を削減し、またコストの低減を図ることができる。
さらに、車室内側の区画１４内にシートベルトリトラクタ１６が内装されており、このシートベルトリトラクタ１６よりも下方に排気口１２ａが設けられていることから当該シートベルトリトラクタ１６に対してより一層高い防水性能を持たせることができる。
【００１０】
また、例示した実施形態によれば、リヤクォータパネル２の下部において、インナパネル１１の下縁部がビード状に折り曲げられて排水口１７が設けられているため、通気ダクト１５を経て車室外側の区画１３内に侵入した雨水等の水分がこの排水口１７を経て確実に外部に排水され、この点で当該通気構造の排水性能を高めることができる。
例示した実施形態によれば、別途排水パイプのような別部材を用いるのではなく、インナパネル１１の下縁をビード状に折り曲げて形成されるアウタパネル１０との間の隙間を排水口１７として機能させる構成であるので、この点でも当該通気構造の部品点数の削減及び低コスト化を図ることができる。
以上説明した実施形態には種々変更を加えることができる。例えば、車室内側の区画１４内にシートベルトリトラクタ１６が内装された構成を例示したが、本発明に係る通気構造は、別の部位にシートベルトリトラクタを配置した場合についても適用することができる。
また、排水口１７については、例示した形態ではなく別途排水パイプ等を用いる構成としてもよい。
さらに、例示した通気構造は、ピックアップと称される貨物車両に限らず、セダン形あるいはワンボックス形の乗用車等その他の形態の車両に広く適用することができる。
【符号の説明】
【００１１】
１…キャビン
２…リヤクォータパネル、２ａ…ヘミング部
３…アウタパネル、３ａ…開口部
４…インナパネル
５…リンフォース
６…通気口
７…ドア
１０…アウタパネル、１０ａ…開口部
１１…インナパネル
１２…リンフォース、１２ａ…排気口
１３…車室外側の区画
１４…車室内側の区画
１５…通気ダクト、１５ａ…外部カバー、１５ｂ…ダクト本体
１６…シートベルトリトラクタ、１６ａ…シートベルト
１７…排水口
３０…通気ダクト（従来）
３１…外部カバー
３２…ダクト本体、３２ａ…バタフライ
３３…内部カバー
３５…シートベルトリトラクタ
【図１】
0005895298.tif 000002
【図２】
0005895298.tif 000003
【図３】
0005895298.tif 000004
【図４】
0005895298.tif 000005
【図５】
0005895298.tif 000006
【図６】
0005895298.tif 000007
【図７】
0005895298.tif 000008
【図８】
0005895298.tif 000009
【図９】
0005895298.tif 000010
【図１０】
0005895298.tif 000011